(57)【要約】      （修正有）【課題】一般にブシュに関し、特に導電性のブシュに関する。【解決手段】ブシュ５０は、構成要素を物体に装着するための締結具を受ける貫通孔５６を画成する管状体５４を含む。管状体５４は、端部領域６０と、管状体５４の周囲で周方向に離間されて端部領域間で管状体５４に沿って長手方向に延びる複数のバネ要素５８とを含む。また、ブシュ５０を含む航空機などの装置、および、ブシュ５０を利用するおよびブシュ５０を製造する関連する方法も開示される。【選択図】図４
2014105867.tif 000002
【特許請求の範囲】
【請求項１】
構成要素（１０）を物体（１２）に装着するための締結具（１４）を受ける貫通孔（５６）を画成する管状体（５４）を備え、前記管状体（５４）は、端部領域（６０）と、前記管状体（５４）の周囲で周方向に離間されて前記端部領域（６０）間で前記管状体（５４）に沿って長手方向に延びる複数のバネ要素（５８）とを含む、ブシュ（５０）。
【請求項２】
前記管状体（５４）が径方向外側に広げられる端部領域（６０）を含む請求項１に記載のブシュ（５０）。
【請求項３】
前記バネ要素（５８）が前記管状体（５４）の周囲で周方向に互いに離間される請求項１または２に記載のブシュ（５０）。
【請求項４】
前記複数のバネ要素（５８）は、
複数の径方向内側に延びるバネ要素（６６）、または、
複数の径方向外側に延びるバネ要素（６８）
のうちの一方を含む請求項１ないし３のいずれか一項に記載のブシュ（５０）。
【請求項５】
前記複数のバネ要素（５８）は、径方向内側に延びるバネ要素（６６）のサブセットと、径方向外側に延びるバネ要素（６８）のサブセットとを含み、前記径方向内側に延びるバネ要素（６６）と前記径方向外側に延びるバネ要素（６８）とが前記管状体（５４）の周囲で周方向に交互に配置され、前記バネ要素が板バネである請求項１ないし４のいずれか一項に記載のブシュ（５０）。
【請求項６】
前記管状体（５４）は、前記管状体（５４）の周囲で周方向に離間される複数の長手方向スリット（６２）を画成し、前記スリット（６２）の隣接する対が前記複数のバネ要素（５８）を画成する請求項１ないし５のいずれか一項に記載のブシュ（５０）。
【請求項７】
前記管状体（５４）が材料の単一の一体品から構成される請求項１ないし６のいずれか一項に記載のブシュ（５０）。
【請求項８】
前記管状体（５４）が互いに接合されない長手方向の継ぎ目（７０）を画成する請求項１ないし７のいずれか一項に記載のブシュ（５０）。
【請求項９】
前記各端部領域（６０）は、前記ブシュ（５０）の全長の３０％未満にわたって延びる請求項１ないし８のいずれか一項に記載のブシュ（５０）。
【請求項１０】
前記バネ要素（５８）は、前記端部領域（６０）と連続するとともに前記管状体（５４）の周方向で隣接する部分と連続しないストリップにより画成される請求項１ないし９のいずれか一項に記載のブシュ（５０）。
【請求項１１】
前記管状体（５４）は、少なくとも１×１０６ジーメンス／メートルの導電率を有する導電材料から構成される請求項１ないし１０のいずれか一項に記載のブシュ（５０）。
【請求項１２】
長手方向圧縮力が前記ブシュ（５０）に加えられるときに、前記ブシュ（５０）は、非圧縮長さよりも小さい圧縮長さを有する請求項１ないし１１のいずれか一項に記載のブシュ（５０）。
【請求項１３】
前記構成要素（１０）を前記物体（１２）に装着するために、前記構成要素（１０）、前記物体（１２）、および、前記締結具（１４）と組み合わせた請求項１ないし１２のいずれか一項に記載のブシュ（５０）であって、
ブシュ（５０）は、前記物体（１２）により画成される装着穴内に位置決めされ、
前記締結具（１４）は、前記管状体（５４）の前記貫通孔（５６）を貫通して延び、
前記構成要素（１０）は、前記物体（１２）に動作可能に締結され、
ブシュ（５０）は、前記締結具（１４）によって長手方向で圧縮される、
ブシュ（５０）。
【請求項１４】
前記物体（１２）が航空機（２４）の燃料タンクを含み、前記燃料タンクが繊維強化複合材料から構成され、前記構成要素が液圧ラインを含み、前記液圧ラインが電荷を運ぶように構成され、前記ブシュが前記液圧ラインと前記燃料タンクとの間に電流経路を与える請求項１３に記載の組み合わせ。
【請求項１５】
請求項１のブシュ（５０）を製造する方法であって、
複数のバネ要素（５８）を材料のブランクに形成すること、および
形成の後に、前記ブランクを巻回して、管状体（５４）を形成すること、
を含む方法。
【発明の詳細な説明】
【技術分野】
【０００１】
本開示は、一般にブシュに関し、特に導電性のブシュに関する。
【背景技術】
【０００２】
ブシュは様々な目的で使用され、また、一般に、ブシュは、様々な工具、締結具、部品などのためのガイドまたはスペーサとして使用されてもよいチューブまたはスリーブなどの中空円筒状の構成要素である。幾つかの用途では、ブシュがベアリングアセンブリの一部を形成する場合がある。
【０００３】
航空宇宙産業において、ブシュのための１つの用途は、燃料タンクの壁を貫通して延びる構成要素が燃料タンクの壁に対して十分にかつ電気的に接地されるようにして、スパークを回避することを確実にすることを含む。燃料タンクを含む機体がカーボン繊維強化ポリマーから構成される近年の航空機構造において、既存のブシュ技術を利用すると、燃料タンクの壁を貫通して延びる穴、および、これらの穴内に圧入されるブシュ自体は、ブシュと燃料タンクの壁との間の適切な係合を確保し、したがって、ブシュおよび燃料タンクの壁の接地を確保するために、互いに対して非常に厳しい公差を有することが求められる。これらの公差と関連する製造コストは低くない。
【発明の概要】
【０００４】
ブシュ、ブシュを含む装置、および、関連する方法が本明細書中に開示される。本開示に係るブシュは、例えば構成要素を物体に対して動作可能に装着する締結具を利用することにより、物体に対する構成要素の装着で使用されるように構成される。例示的で非排他的な例として、ブシュは、液圧ラインを航空機の燃料タンクに動作可能に装着するために使用されてもよいが、ブシュの他の用途も本開示の範囲内である。
【０００５】
本開示に係るブシュは、構成要素を物体に装着するための締結具を受ける貫通孔を画成する管状体を含む。管状体は、端部領域と、管状体の周囲で周方向に離間されて端部領域間で管状体に沿って長手方向に延びる複数のバネ要素とを含む。幾つかの実施形態において、管状体は、構成要素を物体に装着するための締結具を受ける貫通孔を画成する。幾つかの実施形態において、管状体は、少なくとも１×１０６ジーメンス／メートルの導電率を有する導電材料から構成される。幾つかの実施形態において、管状体は、ブシュの全長の３０％未満にわたって延びる端部領域を含む。幾つかの実施形態において、バネ要素は、管状体の周囲で周方向に離間されて、端部領域間で管状体に沿って長手方向に延びるとともに、端部領域と連続しかつ管状体の周方向で隣接する部分と連続しないストリップにより画成される。幾つかの実施形態において、バネ要素は、径方向内側に延びるバネ要素のサブセットと、径方向外側に延びるバネ要素のサブセットとを含む。幾つかの実施形態では、径方向内側に延びるバネ要素と径方向外側に延びるバネ要素とが管状体の周囲で周方向に交互に配置される。
【０００６】
本開示に係る幾つかの方法は、構成要素が装着されるようになっている物体の装着穴内に本開示に係るブシュを位置決めすること、構成要素が装着されるようになっている物体に対して構成要素を位置決めすること、装着穴とブシュの貫通孔とを貫通させて締結具を位置決めすること、および構成要素を物体に締結することを含み、締結は、ブシュを長手方向で圧縮することを含む。
【０００７】
本開示に係る幾つかの方法は、複数のバネ要素を材料のブランクに形成し、形成の後に、ブランクを巻回して、本開示に係るブシュの管状体を形成することを含む。
【０００８】
幾つかの用途において、本開示に係るブシュは、物体に装着される構成要素の適切な接地を確保するために使用されてもよい。
【０００９】
論じられてきた特徴、機能、および、利点は、様々な実施形態で独立に達成することができ、また、更なる他の実施形態で組み合わされてもよく、その更なる詳細は、以下の説明および図面に関連して理解できる。
【図面の簡単な説明】
【００１０】
【図１】本開示に係るブシュを含む装置の一部を概略的に表わす図である。
【図２】本開示に係るブシュを含む装置の例示的で非排他的な例を表わす航空機の斜視図である。
【図３】関連する締結具と本開示に係るブシュの概略表示と共に示される、本開示に係るブシュを利用して取り付けられてもよい構成要素の例示的で非排他的な例を表わす、液圧ラインのためのバルクヘッドアイソレータの等角図である。
【図４】本開示に係るブシュの例示的で非排他的な例の等角図である。
【図５】本開示に係るブシュの他の例示的で非排他的な例の等角図である。
【図６】本開示に係るブシュの他の例示的で非排他的な例の等角図である。
【図７】関連する締結具と、本開示に係るブシュを利用して構成要素が装着されてもよい物体と共に、本開示に係るブシュを非圧縮形態で示す断片的な部分側断面分解図である。
【図８】関連する締結具と、本開示に係るブシュを利用して構成要素が装着されてもよい物体と共に、本開示に係るブシュを圧縮形態で示す断片的な部分側断面図である。
【図９】本開示に係るブシュを利用する例示的で非排他的な例を概略的に表わすフローチャートである。
【図１０】本開示に係るブシュを製造する例示的で非排他的な例を概略的に表わすフローチャートである。
【図１１】本開示に係るブシュの例示的で非排他的な例を形成するために使用されてもよい切断された金属板ブランクの等角図である。
【図１２】本開示に係るブシュの例示的で非排他的な例を形成するために使用されてもよい切断された金属板ブランクの等角図である。
【図１３】本開示に係るブシュの例示的で非排他的な例を形成するために使用されてもよい切断された金属板ブランクの等角図である。
【図１４】本開示に係るブシュを製造する例示的で非排他的な例を概略的に表わすフローチャートである。
【発明を実施するための形態】
【００１１】
ブシュ、ブシュを含む装置、および、関連する方法が本明細書中に開示される。本開示に係るブシュは、締結具を利用して構成要素を物体に動作可能に装着するなど、物体に対する構成要素の装着において使用されるように構成される。本明細書中で論じられる構成要素、物体、および、関連する装置の例は一般に航空機に関連するが、本開示に係るブシュおよび関連する方法が任意の適した装置に関連してもよく、また、本開示は航空宇宙用途に限定されない。
【００１２】
図１は、締結具１４と本開示に係るブシュ１６とを利用して一般的な物体１２に装着される一般的な構成要素１０を概略的に示す。図１の概略図において、構成要素１０は装着構造体１８を含み、装着構造体１８は、物体１２の壁２０と係合されるとともに、構成要素１０をその装着構造体１８を含めて物体１２の壁２０に動作可能に装着するための構造を締結具１４に与える。図１に概略的に示されるように、締結具１４は壁２０を貫通して延び、また、ブシュ１６は、締結具１４と物体１２の壁２０との間の界面を与える。図１に破線で概略的にかつ随意的に示されるように、これに加えてまたはこれに代えて、ブシュ１６は、構成要素１０自体と物体１２の壁２０との間の界面を与えるために使用されてもよい。構成要素１０と物体１２との組立体は、締結具１４およびブシュ１６を含めて、図１に全体的に示されるような装置２２または装置２２の少なくとも一部をなしてもよい。図１は、本質的に概略であり、構成要素１０、物体１２、締結具１４、および、本開示に係るブシュ１６の間の相対関係を専ら概略的にかつ図式的に示そうとしているにすぎず、本開示に係るブシュ１６の特定の用途に本開示を限定しない。
【００１３】
ブシュ１６は、構成要素１０および／または構成要素１０と関連する締結具１４、装着構造体１８、および、物体１２の壁２０の間の所望の界面を与えるように構成される。所望の界面は任意の適した基準に基づいてもよい。例示的で非排他的な例として、ブシュ１６は、構成要素１０を物体１２に対して適切に電気的に接地するため、またはさもなければ、ブシュ１６が構成要素１０と物体１２との間の電流経路を与えるようにするために利用されてもよい。そのような形態は、多くの理由により望ましい場合がある。例示的で非排他的な例として、構成要素１０が電荷を運ぶように構成されてもよく、また、構成要素１０と物体１２との界面でまたは関連する締結具１４と物体１２との間でスパークを防止することが望ましい場合がある。そのような用途において、ブシュ１６は、界面の導電性を高めて抵抗率を減少させ、それにより、界面で火花が形成する機会を減らすために、構成要素１０、装着構造体１８、および／または、関連する締結具１４、および、物体１２の間の界面が耐密で空隙が無いように確保するべく利用されてもよい。他の用途も本開示の範囲内である。
【００１４】
図２では、装置２２の例示的で非排他的な例が航空機２４の形態を成して示されている。航空機２４の例は固定翼航空機の形態を成すが、ヘリコプターおよびミサイルを含む（がこれらに限定されない）他のタイプおよび形態の航空機も本開示の範囲内である。ブシュ１６を利用してもよいまたは含んでもよい装置の更なる非排他的な例としては、宇宙船、陸上車、海上船舶、風力タービン、マスト、屋外アンテナ、避雷保護を必要とする任意の装置２２、物体１２の壁２０を貫通する構成要素１０または締結具１４を有する任意の装置２２などが挙げられる（がこれらに限定されない）。
【００１５】
航空機２４は、一般に、例えばフラップ２８と翼３０の他の可動部とを含む（がこれらに限定されない）航空機２４の様々な構成要素を動作させるために、液圧システム２６を含む。また、航空機２４は、一般に、１つ以上の燃料タンク３２を航空機２４の翼３０内に含む。したがって、液圧システム２６と関連付けられる様々な液圧ライン３４を翼３０の内部空間制約内で効率的に経路付けようとして、液圧ライン３４は、燃料タンク３２を突き抜けて貫通して延びることができる。液圧ライン３４は、一般に金属材料から構成され、したがって、電荷を運ぶことができるため、液圧ライン３４と燃料タンク３２との間の界面でスパークを防止することが重要な場合がある。また、近年の航空機２４の機体３６は、その燃料タンク３２を含めて、複合繊維複合材料から構成される場合があるため、燃料タンク３２に対する液圧ライン３４の接地は、スパークを防止するべく非常に耐密な接続を必要とする場合がある。したがって、液圧ライン３４が構成要素１０の例であり、燃料タンク３２が物体１２の例である。
【００１６】
図３は、航空機２４の燃料タンク３２に装着するための液圧ライン３４用のバルクヘッドアイソレータ４０の形態を成す構成要素１０の例示的で排他的な例を、関連する締結具１４およびブシュ１６の概略表示と共に示す。バルクヘッドアイソレータ４０は、これに加えてまたはこれに代えて、液圧ライン３４用の装着構造体１８と見なされてもよく、または、液圧ライン３４用の装着構造体１８の一例であってもよい。航空宇宙産業において、用語「バルクヘッド」は、一般に、例えば燃料タンク３２の壁など、「液体域」を「乾燥域」から分離する壁を示すために使用されるが、本開示は、液圧ライン３４を燃料タンク３２に装着することに関連するバルクヘッドアイソレータ４０と共にブシュ１６を利用することに限定されない。図示の例において、締結具１４は、装着構造体１８の本体と一体のスタッド４２と、ワッシャ４４と、ナット４６とを含むが、他の形態の締結具１４は、装着構造体１８を貫通して延びるボルトの使用、ネジ無し締結具の使用などを含めて、本開示の範囲内である。
【００１７】
また、航空機内、航空宇宙産業内の他の用途、および、航空宇宙産業以外の用途も、物体１２が繊維強化複合材料から構成されない用途、構成要素１０または関連する装着構造体１８が金属材料から構成されない用途、および／または、構成要素１０と物体１２との間の界面でのスパークの防止に関連しない用途を含めて、本開示の範囲内である。
【００１８】
ここで、図４〜図６を参照すると、ブシュ１６の例示的で非排他的な例が示される。図４〜図６の例は、非排他的であり、本開示を図示の実施形態に限定しない。すなわち、ブシュ１６は、図４〜図６に示される特定の実施形態に限定されず、また、ブシュ１６は、本明細書中で例示されて論じられるブシュ１６の任意の数の様々な態様、形態、特徴、特性など、および、その変形を、そのような態様、形態、特徴、特性などの全てを含める必要がなく、組み入れてもよい。明確にするため、図４に示される例のブシュ１６がブシュ５０として表わされ、図５に示される例のブシュ１６がブシュ５２として表わされ、および、図６に示される例のブシュがブシュ５３として表わされる。
【００１９】
図４〜図６に見られるように、ブシュ５０、ブシュ５２、および、ブシュ５３を含むブシュ１６は管状体５４を含み、管状体５４は、貫通孔５６を画成するとともに、複数のバネ要素５８を含み、複数のバネ要素５８は、管状体５４の周囲で周方向に離間されるとともに、管状体の両側の端部領域６０間で管状体５４に沿って長手方向に延びる。ブシュ５０およびブシュ５２のバネ要素５８は、それぞれのブシュの長手方向軸と平行に延び、一方、ブシュ５３のバネ要素５８は、ブシュの長手方向軸に対して横方向にまたは角度を成して延びる。これに加えてまたはこれに代えて、ブシュ５３のバネ要素５８は、ブシュ５３の周囲で螺旋状にされていると見なされ、または、螺旋状になっていると見なされてもよい。貫通孔５６は、構成要素１０を物体１２に装着するための対応する締結具１４を受けるように寸法付けられている。
【００２０】
幾つかの実施形態において、各端部領域６０は、ブシュ１６の全長の３０，２０，１０または５％未満にわたって延びてもよい。これに加えてまたはこれに代えて、バネ要素５８は、ブシュ１６の全長の少なくとも７０，８０，９０または９５％にわたって延びてもよい。端部領域６０とバネ要素５８との他の相対的な長さも本開示の範囲内である。
【００２１】
幾つかの実施形態において、バネ要素５８は、端部領域６０と連続するとともに管状体５４の周方向で隣接する部分と連続しない材料のストリップにより画成されてもよい。これに加えてまたはこれに代えて、管状体５４は、管状体の周囲で周方向に離間される複数の長手方向スリット６２を形成し、離間される長手方向スリット６２の隣接する対がバネ要素５８を形成すると見なされてもよい。幾つかの実施形態では、これに加えてまたはこれに代えて、バネ要素５８が板バネ要素５８と見なされてもよい。
【００２２】
ブシュ１６の幾つかの実施形態において、バネ要素５８は、管状体５４の周囲で互いに周方向に離間されてもよい。図４のブシュ５０はそのようなブシュ１６の一例であり、また、図４に見られるように、バネ要素５８の隣接する対は、管状体５４の端部領域６０間で延びる材料のストリップ６４により分離される。図６のブシュ５３もそのようなブシュ１６の一例であり、材料のストリップ６４がバネ要素５８の隣接する対を分離する。しかしながら、図５のブシュ５２は、バネ要素５８の隣接する対が材料のストリップ６４によって分離されないブシュ１６の一例である。ブシュ５３の場合のように螺旋バネ要素５８を有するがブシュ５０の場合のようにバネ要素５８の隣接する対が材料のストリップ６４により分離されるブシュ１６を含めて、他の形態も本開示の範囲内である。
【００２３】
ブシュ１６の幾つかの実施形態において、複数のバネ要素５８は、複数の径方向内側に延びるバネ要素６６を含んでもよい。これに加えてまたはこれに代えて、ブシュ１６の幾つかの実施形態において、複数のバネ要素５８は、複数の径方向外側に延びるバネ要素６８を含んでもよい。図４〜図６の例において、ブシュ５０、ブシュ５２、および、ブシュ５３は、径方向内側に延びるバネ要素６６と、径方向外側に延びるバネ要素６８とを含む。また、ブシュ５０，５２，５３の例において、径方向内側に延びるバネ要素６６および径方向外側に延びるバネ要素６８は、ブシュ１６の管状体５４の周囲で周方向に交互に配置される。しかしながら、そのような形態は本開示に係るブシュ１６の全ての実施形態に必要とされず、ブシュ１６が径方向内側に延びるバネ要素６６だけまたは径方向外側に延びるバネ要素６８だけを含んでもよいことは本開示の範囲内である。また、ブシュ１６は、管状体５４の周囲で周方向に交互に配置されない径方向内側に延びるバネ要素６６および径方向外側に延びるバネ要素６８の両方を含んでもよい。
【００２４】
これに加えてまたはこれに代えて、径方向内側に延びるバネ要素６６は、径方向内側に曲がっていると見なされてもよい。これに加えてまたはこれに代えて、径方向内側に延びるバネ要素６６は、ブシュ１６の外面に対して凹状になっていると見なされてもよい。これに加えてまたはこれに代えて、径方向外側に延びるバネ要素６８は、径方向外側に曲がっていると見なされてもよい。これに加えてまたはこれに代えて、径方向外側に延びるバネ要素６８は、ブシュ１６の外面に対して凸状になっていると見なされてもよい。
【００２５】
ブシュ１６は、例えば、ブシュ１６が利用されるようになっている用途に応じて、任意の適したプロセスを利用して、任意の適した材料から任意の適した様式で構成されてもよい。幾つかの実施形態では、管状体５４が材料の単一の一体品から構成されてもよい。ブシュ５０，５２，５３はそのようなブシュ１６の例である。幾つかのそのような実施形態において、管状体５４は、例えばブシュ５０およびブシュ５２に関して図４および図５に破線で概略的にかつ随意的に示されるような長手方向継ぎ目７０を画成してもよい。継ぎ目７０は、存在する場合には、形成プロセスの結果であってもよく、その例が本明細書中で論じられる。幾つかの実施形態では、継ぎ目７０が接合されなくてもよい。他の実施形態において、継ぎ目７０は、蝋付けプロセスおよび／または圧着プロセスなどによって接合されてもよい。幾つかの実施形態において、管状体５４は、継ぎ目が無い所定長のチューブを含む、切断長のチューブから構成されてもよい。
【００２６】
ブシュ１６を構成してもよい、適した材料の例示的で非排他的な例としては、少なくとも１×１０６ジーメンス／メートルの導電率を有する材料などの導電材料が挙げられ、その例は、真鍮合金、および、ベリリウム銅などの銅合金を含む（がこれらに限定されない）。これに加えてまたはこれに代えて、ブシュ１６の管状体５４は、メッキされてもよく、例えば、金メッキされ、ニッケルメッキされ、および／または、亜鉛メッキされてもよい。他の材料も本開示の範囲内である。
【００２７】
図７および図８は、ブシュ１６の例示的で非排他的な例を、構成要素１０、物体１２、および、関連する締結具１４と共にやや概略的に表わす。ブシュ１６および物体１２は断面で概略的に示され、また、構成要素１０および関連する締結具１４は断面で示されていない。図示の例において、締結具１４は、ワッシャ４４、ナット４６、および、ネジ付きシャフト４８を含む。ネジ付きシャフト４８は、スタッド４２であってもよく、または、別個のボルトであってもよく、また、前述したように、他の形態の締結具１４が本開示の範囲内である。図７は、非圧縮形態のブシュ１６を概略的に示し、また、図８は、圧縮形態のブシュ１６を概略的に示す。
【００２８】
図７および図８に示されるように、ブシュ１６は、物体１２の壁２０を貫通して延び、壁２０により画成される装着穴内８０へ挿入されるように寸法付けられる（および意図される）。一般に、ブシュ１６の管状体５４は、ブシュ１６が内部に挿入されるべき装着穴８０の直径に少なくともほぼ等しい外径（または直径）を有する。ブシュ１６は径方向外側に延びるバネ要素６８を含んでもよいため、管状体５４が一定の外径を有さなくてもよい。幾つかの実施形態において、一般に端部領域６０によって画成される外径は、ブシュ１６が内部に挿入されるべき装着穴８０の直径に等しくまたは少なくともほぼ等しくてもよい。
【００２９】
ブシュ１６は、例えばワッシャ４４と構成要素１０との間で締結具１４により長手方向に圧縮されるように構成される。したがって、ブシュの管状体５４は、ブシュ１６が内部に挿入されるべき装着穴８０の長さまたは深さよりも長い非圧縮長手方向長さと、ブシュ１６が内部に挿入されるべき装着穴８０の長さまたは深さに等しいまたは少なくともほぼ等しい圧縮長手方向長さとを有すると見なされてもよい。取り付け時に管状体５４に加えられる長手方向圧縮力は、取り付け力と見なされてもよい。管状体５４は、ブシュ１６の用途、および、ブシュ１６の構造のような因子に応じて、様々な大きさで圧縮されるように構成されてもよい。例示的で非排他的な例として、管状体５４の圧縮時の長手方向長さは、管状体５４の非圧縮時の長手方向長さの０．１〜１０％の範囲内であってもよい。
【００３０】
ブシュ１６は、任意の適した用途のために寸法付けられてもよい。例示的で非排他的な例として、管状体５４の端部領域６０は、３〜１００、３〜５０、３〜３０、３〜１５、３〜１０、または、３〜５ｍｍの範囲内の外径を有してもよいが、列挙された範囲外の他のサイズも本開示の範囲内である。したがって、ブシュ１６は、同様の直径を有する装着穴８０と共に使用されて装着穴８０内へ挿入されるように構成されて意図されてもよい。これに加えてまたはこれに代えて、管状体５４は、同様の長さまたは深さを有する装着穴８０と対応するように、圧縮されるときに３〜１００、３〜５０、３〜３０、３〜１５、３〜１０、または、３〜５ｍｍの範囲内の長手方向長さを有してもよい。列挙された範囲外の他のサイズも本開示の範囲内である。管状体の適した壁厚の例示的で非排他的な例は、０．１〜３ｍｍの範囲内の厚さを含むが、この範囲外の他の厚さも本開示の範囲内である。
【００３１】
バネ要素５８は、例えば図８に概略的に表わされるように装着穴８０内に動作可能に取り付けられて圧縮されると、図７および図８のネジ付きシャフト４８などの締結具１４に対して、および／または、物体１２の壁２０に対して径方向圧力を与えてもよい。例えば、径方向内側に延びるバネ要素６６は、ブシュ１６内に含まれると、管状体５４の貫通孔５６を貫通して延びる締結具１４に対して径方向内側の圧力を与える。径方向外側に延びるバネ要素６８は、ブシュ１６内に含まれると、管状体５４の貫通孔５６を貫通して延びる締結具１４に対して径方向外側の圧力を与える。幾つかの実施形態において、取り付け時、管状体５４と物体の壁２０との間の界面および管状体５４と管状体５４の貫通孔を貫通して延びる締結具１４との間の界面は、締結具１４と物体１２との間でのスパークを防止するように構成されてもよい。これに加えてまたはこれに代えて、取り付け時、管状体５４と物体の壁２０との間の界面および管状体５４と管状体５４の貫通孔を貫通して延びる締結具１４との間の界面は、一般に、空隙が無くてもよく、または、空隙が少なくとも実質的に無くてもよい。
【００３２】
ブシュ１６の幾つかの実施形態では、必要とされないが、端部領域６０の一方または両方が、例えば図７に破線７２で随意的に示されるように、その末端で外側に広がってもよい。そのような形態は、ボルトの形態を成す締結具１４がボルトの軸部とボルトの頭部との間の界面に丸み部または隅肉部を有するときなど、幾つかの用途で望ましい場合がある。
【００３３】
図９は、本開示に係るブシュ１６を利用するための方法１００の例示的で非排他的な例を表わすフローチャートを与える。図９に示される方法およびステップは限定的ではなく、本明細書の論議から理解されるように、図示のステップ数よりも多いまたは少ないステップ数を有する方法を含めて、他の方法およびステップが本開示の範囲内である。
【００３４】
図９に概略的に示されるように、方法１００は、１０２に概略的に示されるように、構成要素１０が装着されるようになっている物体１２の装着穴８０内にブシュ１６を位置決めすること、１０４に概略的に示されるように、構成要素１０が装着されるようになっている物体１２に対して構成要素１０を位置決めすること、１０６に概略的に示されるように、装着穴８０とブシュ１６の貫通孔５６とを貫通させて締結具１４を位置決めすること、および、１０８に概略的に示されるように、構成要素１０を物体１２に締結することを含む。これらのステップが任意の適した順序で行なわれてもよく、また、方法１００は、図９の図示の順序でのステップの実行に限定されない。例えば、幾つかの用途では、ブシュ１６を締結具１４に位置決めした後に、ブシュ１６および締結具１４の両方を物体１２に対して位置決めすることが望ましいまたは適切な場合がある。これに加えてまたはこれに代えて、図３の例の場合のように締結具１４が例えばスタッド４２の形態を成して構成要素１０と一体となる用途では、構成要素の位置決め１０４と締結具の位置決め１０６とが同時に行なわれてもよい。
【００３５】
幾つかの方法１００において、締結１０８は、ブシュ１６を長手方向で圧縮することを含む。幾つかの方法１００において、ブシュ１６は、締結１０８の前に、装着穴８０の長さよりも長い長手方向長さを有し、また、締結１０８の後に、ブシュ１６の長さは、装着穴８０の長さに等しいまたはほぼ等しい。
【００３６】
幾つかの方法１００では、例えば、ブシュ１６の構造に応じて、および／または、ブシュ１６と装着穴８０との間の界面に応じて、締結１０８は、径方向外側に延びるバネ要素６８によって径方向外側の圧力を物体１２の壁２０に対して加えることを含んでもよい。幾つかの方法１００において、締結１０８は、径方向内側に延びるバネ要素６６により、管状体５４の貫通孔５６を貫通して延びる締結具１４に対して径方向内側の圧力を加えることを含んでもよい。幾つかの方法１００において、締結１０８は、物体１２の壁２０と貫通孔５６を貫通して延びる締結具１４とをブシュ１６の管状体５４と動作可能に係合させることを含んでもよい。
【００３７】
幾つかの方法１００では、締結１０８の後に、締結具１４がブシュ１６を介して物体１２に対して電気的に接地されてもよい。幾つかの方法１００では、締結１０８の後に、構成要素１０が締結具１４とブシュ１６とを介して物体１２に対して電気的に接地されてもよい。
【００３８】
幾つかの方法１００では、締結１０８の後に、ブシュ１６と締結具１４との間の界面、および、ブシュ１６と物体１２との間の界面は、締結具１４が電荷を運ぶときに、締結具１４、ブシュ１６、および、物体１２の間のスパークを防止するように構成される。
【００３９】
前述したように、ブシュ１６は様々な用途で使用されてもよい。例示的で非排他的な例として、方法１００では、物体１２が、航空機２４の燃料タンク３２を含む燃料タンクなど、液体を保持するためのタンクを含んでもよい。幾つかの方法１００では、物体１２が繊維強化複合材料から構成されてもよい。幾つかの方法１００では、構成要素１０が電荷を運ぶように構成されてもよく、また、ブシュ１６は、構成要素１０を物体１２に接地するように構成されてもよい。幾つかの方法１００において、構成要素１０は、液圧ライン３４のためのバルクヘッドアイソレータ４０を含んでもよい。
【００４０】
図１０は、本開示に係るブシュ１６を製造する方法２００の例示的で非排他的な例を表わすフローチャートを与える。図１０に示される方法およびステップは限定的ではなく、本明細書の論議から理解されるように、図示のステップ数よりも多いまたは少ないステップ数を有する方法を含めて、他の方法およびステップが本開示の範囲内である。
【００４１】
図１０に概略的に示されるように、方法２００は、２０２に概略的に示されるように、複数のバネ要素５８を材料のブランク２１０に形成すること、および、２０４に概略的に示されるように、形成２０２の後に、ブランクを巻回して、管状体５４を形成することを含む。図１０に破線のボックスで概略的にかつ随意的に示されるように、巻回２０４の後に、幾つかの方法２００は、２０６に概略的に示されるように、管状体５４を熱処理すること、および、２０８に概略的に示されるように、管状体５４をメッキすることを更に含んでもよい。
【００４２】
図１１〜図１３は、バネ要素５８が形成されて成るブランク２１０の例を示す。より具体的には、図１１は、本開示に係るブシュ５０に対応するブランク２１２を示し、図１２は、本開示に係るブシュ５２に対応するブランク２１４を示し、図１３は、本開示に係るブシュ５３に対応するブランク２１５を示す。
【００４３】
幾つかの方法２００において、形成２０２は、複数の離間される長手方向スリット６２をブランク２１０に切断することを含んでもよい。幾つかのそのような方法２００において、形成２０２は、複数の離間される長手方向スリット６２の隣接する対間の材料のストリップを径方向に変形させて、複数のバネ要素５８を形成することを含んでもよい。幾つかのそのような方法２００において、変形は、ブランク２１０により画成される平面から離れる第１の方向にストリップの第１のサブセットを曲げること（例えば、径方向内側に延びるバネ要素６６になるであろうものを画成するため）、および、ブランク２１０により画成される平面から離れる第２の方向にストリップの第２のサブセットを曲げること（例えば、径方向外側に延びるバネ要素６８になるであろうものを画成するため）を更に含み、第２の方向は第１の方向と反対である。幾つかのそのような方法では、変形の後、ストリップの第１のサブセットとストリップの第２のサブセットとがブランク２１０にわたって横方向で交互に配置される。
【００４４】
幾つかの方法２００では、形成２０２の後に、例えば本開示に係るブシュ５０またはブシュ５３に対応して、バネ要素５８がブランク２１０にわたって横方向で互いに離間される。
【００４５】
幾つかの方法２００において、形成２０２は、ブランク２１０をダイス切断することを含んでもよい。幾つかの方法２００では、ブランク２１０が金属板の長方形の平面部であってもよい。
【００４６】
幾つかの方法２００において、巻回２０４は、マンドレルまたは他の巻型の周囲でブランクを巻回して管状体５４を形成することを含んでもよい。幾つかの方法２００において、巻回２０４は、ブランク２１０の両縁部２１６間に継ぎ目７０を画成する。幾つかのそのような方法２００では、巻回２０４の後に、例えば縁部２１６同士を随意的に蝋付けするおよび／または圧着することによって、縁部２１６が継ぎ目７０で接合されてもよい。
【００４７】
図１４は、本開示に係るブシュ１６を製造する方法２２０の例示的で非排他的な例を表わすフローチャートを与える。図１４に示される方法およびステップは限定的ではなく、本明細書の論議から理解されるように、図示のステップ数よりも多いまたは少ないステップ数を有する方法を含めて、他の方法およびステップが本開示の範囲内である。
【００４８】
図１４に概略的に示されるように、方法２２０は、２２２に概略的に示されるように、所定長のチューブを切断すること、および、２２４に概略的に示されるように、切断２２２の後に、切断された所定長のチューブに複数のバネ要素５８を形成することを含む。図１４に破線のボックスで概略的にかつ随意的に示されるように、形成２２４の後に、幾つかの方法２２０は、２２６に概略的に示されるように、管状体５４を熱処理すること、および、２２８に概略的に示されるように、管状体５４をメッキすることを更に含んでもよい。
【００４９】
幾つかの方法２２０において、形成２２２は、複数の離間される長手方向スリット６２を切断された所定長のチューブに切断することを含んでもよい。幾つかのそのような方法２２０において、形成２２２は、複数の離間される長手方向スリット６２の隣接する対間の材料のストリップを径方向に変形させて、複数のバネ要素５８を形成することを含んでもよい。幾つかのそのような方法２２０において、変形は、ストリップの第１のサブセットを第１の径方向に曲げること（例えば、径方向内側に延びるバネ要素６６を画成するため）、および、ストリップの第２のサブセットを反対側に離れる第２の径方向に曲げること（例えば、径方向外側に延びるバネ要素６８を画成するため）を更に含む。幾つかのそのような方法２２０では、変形の後に、ストリップの第１のサブセットとストリップの第２のサブセットとが管状体５４の周囲に周方向で交互に配置される。
【００５０】
幾つかの方法２２０において、形成２２２は、切断された所定長のチューブを円筒状のマンドレル上に位置決めすることを含んでもよく、マンドレルには縁の鋭いスロットが形成され、スロットは円筒状のマンドレルに沿って長手方向に延びる。その後、切断ダイ（例えば、半月キーと同様に成形される）が縁の鋭いスロットに沿って径方向内側に押し進められ、それにより、径方向内側に延びるバネ要素６６を切断された所定長のチューブに切断して塑性変形してもよい。これに加えてまたはこれに代えて、形成２２２は、切断された所定長のチューブを中空マンドレルの内側に位置決めすることを含んでもよく、マンドレルには縁の鋭いスロットが形成され、スロットは中空マンドレルに沿って長手方向に延びる。その後、切断ダイ（例えば、半月キーと同様に形成される）が縁の鋭いスロットに沿って径方向外側に押し進められ、それにより、径方向外側に延びるバネ要素６８を切断された所定長のチューブに切断して塑性変形してもよい。
【００５１】
本開示に係る発明主題の例示的で非排他的な例が、以下の列挙された段落に記載される。
【００５２】
Ａ．構成要素を物体に装着するための締結具を受ける貫通孔を画成する管状体を備え、管状体は、端部領域と、管状体の周囲で周方向に離間されて端部領域間で管状体に沿って長手方向に延びる複数のバネ要素とを含む、ブシュ。
【００５３】
Ａ１．端部領域が径方向外側に広げられる段落Ａのブシュ。
【００５４】
Ａ２．バネ要素が管状体の周囲で周方向に互いに離間される段落Ａ−Ａ１のいずれかのブシュ。
【００５５】
Ａ３．バネ要素が管状体の長手方向軸と平行に延びる段落Ａ−Ａ２のいずれかのブシュ。
【００５６】
Ａ４．バネ要素が管状体の長手方向軸に対して角度を成して延びる段落Ａ−Ａ２のいずれかのブシュ。
【００５７】
Ａ５．複数のバネ要素が複数の径方向内側に延びるバネ要素を含む段落Ａ−Ａ４のいずれかのブシュ。
【００５８】
Ａ５．１  径方向内側に延びるバネ要素が径方向内側に曲がる段落Ａ５のブシュ。
【００５９】
Ａ５．２  径方向内側に延びるバネ要素は、ブシュの外面に対して凹状になっている段落Ａ５−Ａ５．１のいずれかのブシュ。
【００６０】
Ａ６．複数のバネ要素が複数の径方向外側に延びるバネ要素を含む段落Ａ−Ａ５．２のいずれかのブシュ。
【００６１】
Ａ６．１  径方向外側に延びるバネ要素が径方向外側に曲がる段落Ａ６のブシュ。
【００６２】
Ａ６．２  径方向外側に延びるバネ要素は、ブシュの外面に対して凸状になっている段落Ａ６−Ａ６．１のいずれかのブシュ。
【００６３】
Ａ７．複数のバネ要素は、径方向内側に延びるバネ要素のサブセットと、径方向外側に延びるバネ要素のサブセットとを含む段落Ａ−Ａ６．２のいずれかのブシュ。
【００６４】
Ａ７．１  径方向内側に延びるバネ要素と径方向外側に延びるバネ要素とが管状体の周囲で周方向に交互に配置される段落Ａ７のブシュ。
【００６５】
Ａ８．管状体は、管状体の周囲で周方向に離間される複数の長手方向スリットを画成し、スリットの隣接する対が複数のバネ要素を画成する段落Ａ−Ａ７．１のいずれかのブシュ。
【００６６】
Ａ９．バネ要素が板バネである段落Ａ−Ａ８のいずれかのブシュ。
【００６７】
Ａ１０．管状体が材料の単一の一体品から構成される段落Ａ−Ａ９のいずれかのブシュ。
【００６８】
Ａ１１．管状体が長手方向の継ぎ目を画成する段落Ａ−Ａ１０のいずれかのブシュ。
【００６９】
Ａ１１．１  継ぎ目が互いに接合されない段落Ａ１１のブシュ。
【００７０】
Ａ１１．２  継ぎ目は、互いに接合され、随意的に互いに蝋付けされ、および、随意的に互いに圧着される段落Ａ１１のブシュ。
【００７１】
Ａ１２．各端部領域は、ブシュの全長の３０，２０，１０または５％未満にわたって延びる段落Ａ−Ａ１１．２のいずれかのブシュ。
【００７２】
Ａ１３．バネ要素は、端部領域と連続するとともに管状体の周方向で隣接する部分と連続しないストリップにより画成される段落Ａ−Ａ１２のいずれかのブシュ。
【００７３】
Ａ１４．管状体は、真鍮合金および銅合金のうちの一方から構成され、随意的にベリリウム銅から構成される段落Ａ−Ａ１３のいずれかのブシュ。
【００７４】
Ａ１５．管状体は、メッキされ、随意的に金メッキされ、随意的にニッケルメッキされ、および、随意的に亜鉛メッキされる段落Ａ−Ａ１４のいずれかのブシュ。
【００７５】
Ａ１６．管状体は、導電材料から構成され、随意的には少なくとも１×１０６ジーメンス／メートルの導電率を有する材料から構成される段落Ａ−Ａ１５のいずれかのブシュ。
【００７６】
Ａ１７．長手方向圧縮力がブシュに加えられないときに、ブシュが非圧縮長さを有し、
長手方向圧縮力がブシュに加えられるときに、ブシュは、非圧縮長さよりも小さい圧縮長さを有する、
段落Ａ−Ａ１６のいずれかのブシュ。
【００７７】
Ａ１７．１  長手方向圧縮力は、構成要素を物体に締結することに関連付けられる組み込み力である段落Ａ１７のブシュ。
【００７８】
Ａ１８．構成要素を物体に装着するために、構成要素、物体、および、締結具と組み合わせた段落Ａ−Ａ１７．１のいずれかのブシュであって、
ブシュは、物体により画成される装着穴内に位置決めされ、
締結具は、管状体の貫通孔を貫通して延び、
構成要素は、物体に動作可能に締結され、
ブシュは、締結具によって長手方向で圧縮される、
ブシュ。
【００７９】
Ａ１８．１  物体は、液体を保持するためのタンク、随意的には燃料タンク、および、随意的には航空機の燃料タンクを含む段落Ａ１８の組み合わせ。
【００８０】
Ａ１８．２  物体が繊維強化複合材料から構成される段落Ａ１８−Ａ１８．１のいずれかの組み合わせ。
【００８１】
Ａ１８．３  構成要素が電荷を運ぶように構成され、ブシュは、構成要素と物体との間に電流経路を与える段落Ａ１８−Ａ１８．２のいずれかの組み合わせ。
【００８２】
Ａ１８．４  構成要素は、液圧ラインを含み、随意的には液圧ラインのためのバルクヘッドアイソレータを含む段落Ａ１８−Ａ１８．３のいずれかの組み合わせ。
【００８３】
Ａ１８．５  段落Ａ１８−Ａ１８．４のいずれかの組み合わせを含む航空機。
【００８４】
Ｂ．段落Ａ−Ａ１７．１のいずれかのブシュを、構成要素が装着されるようになっている物体の装着穴内に位置決めし、
構成要素が装着されるようになっている物体に対して構成要素を位置決めし、
装着穴とブシュの貫通孔とを貫通させて締結具を位置決めし、
構成要素を物体に締結する、
ことを含む方法。
【００８５】
Ｂ１．締結がブシュを長手方向で圧縮することを含む段落Ｂの方法。
【００８６】
Ｂ１．１  締結の前に、ブシュは、装着穴の長さよりも長い長さを有する段落Ｂ１の方法。
【００８７】
Ｂ１．１．１  締結の後に、ブシュの長さは、装着穴の長さに等しいまたはほぼ等しい段落Ｂ１．１の方法。
【００８８】
Ｂ２．締結は、複数のバネ要素のサブセットを径方向外側に延ばして、物体の装着穴と作用（随意的に導電）係合させる段落Ｂ−Ｂ１．１．１のいずれかの方法。
【００８９】
Ｂ３．締結は、複数のバネ要素のサブセットを径方向内側に延ばして締結具と作用（随意的に導電）係合させることを含む段落Ｂ−Ｂ２のいずれかの方法。
【００９０】
Ｂ４．締結の後に、締結具は、ブシュを介して物体に対して電気的に接地される段落Ｂ−Ｂ３のいずれかの方法。
【００９１】
Ｂ５．締結の後に、構成要素は、締結具とブシュとを介して物体に対して電気的に接地される段落Ｂ−Ｂ４のいずれかの方法。
【００９２】
Ｂ６．締結の後に、ブシュと締結具との間の界面、および、ブシュと物体との間の界面は、締結具が電荷を運ぶときに締結具、ブシュ、および、物体の間のスパークを防止するように構成される段落Ｂ−Ｂ５のいずれかの方法。
【００９３】
Ｂ７．締結の後に、ブシュと締結具との間の界面およびブシュと物体との間の界面には実質的に空隙が無い段落Ｂ−Ｂ６のいずれかの方法。
【００９４】
Ｂ８．物体は、液体を保持するためのタンク、随意的には燃料タンク、および、随意的には航空機の燃料タンクを含む段落Ｂ−Ｂ７のいずれかの方法。
【００９５】
Ｂ９．物体が繊維強化複合材料から構成される段落Ｂ−Ｂ８のいずれかの方法。
【００９６】
Ｂ１０．構成要素が電荷を運ぶように構成され、ブシュが構成要素を物体に対して接地するように構成される段落Ｂ−Ｂ９のいずれかの方法。
【００９７】
Ｂ１１．構成要素は、液圧ラインのためのバルクヘッドアイソレータを含む段落Ｂ−Ｂ１０のいずれかの方法。
【００９８】
Ｂ１２．構成要素および物体が航空機と関連付けられる段落Ｂ−Ｂ１１のいずれかの方法。
【００９９】
Ｂ１３．段落Ｃ−Ｃ５のいずれかの方法によって先行される段落Ｂ−Ｂ１２のいずれかの方法。
【０１００】
Ｃ．ブシュを製造する方法であって、
複数のバネ要素を材料のブランク（随意的には材料の長方形のブランク）に形成し、
形成の後、ブランクを巻回して、管状体を形成する、
ことを含む方法。
【０１０１】
Ｃ１．形成は、複数の離間される長手方向スリットをブランクに切断することを含む段落Ｃの方法。
【０１０２】
Ｃ１．１  形成は、複数の離間される長手方向スリットの隣接する対間の材料をストリップを径方向に変形させて複数のバネ要素を形成することを含む段落Ｃ１の方法。
【０１０３】
Ｃ１．１．１  変形は、ブランクにより画成される平面から離れる第１の方向にストリップの第１のサブセットを曲げるとともに、ブランクにより画成される平面から離れる第２の方向にストリップの第２のサブセットを曲げることを含み、第２の方向が第１の方向と反対である、段落Ｃ１．１の方法。
【０１０４】
Ｃ１．１．１．１  変形の後に、ストリップの第１のサブセットとストリップの第２のサブセットとがブランクにわたって横方向で交互に配置される段落Ｃ１．１．１の方法。
【０１０５】
Ｃ２．形成の後に、バネ要素がブランクにわたって横方向で互いに離間される段落Ｃ−Ｃ１．１．１．１のいずれかの方法。
【０１０６】
Ｃ３．巻回の後に、管状体を熱処理することを更に含む段落Ｃ−Ｃ２のいずれかの方法。
【０１０７】
Ｃ４．巻回は、ブランクの縁部間に継ぎ目を画成し、方法は、巻回の後に、継ぎ目で縁部を接合することを更に含み、接合は、随意的に、蝋付けまたは圧着のうちの１つ以上を含む、段落Ｃ−Ｃ３のいずれかの方法。
【０１０８】
Ｃ５．方法が段落Ａ−Ａ１７．１のいずれかのブシュをもたらす、段落Ｃ−Ｃ４のいずれかの方法。
【０１０９】
Ｄ．ブシュを製造する方法であって、
管状体を有するように所定長のチューブを切断し、
切断の後に、複数のバネ要素を管状体に形成する、
ことを含む方法。
【０１１０】
Ｄ１．形成は、複数の離間される長手方向スリットを管状体に切断することを含む段落Ｄの方法。
【０１１１】
Ｄ１．１  形成は、複数の離間される長手方向スリットの隣接する対間の材料のストリップを径方向に変形させて複数のバネ要素を形成することを含む段落Ｄ１の方法。
【０１１２】
Ｄ１．１．１  変形は、ストリップの第１のサブセットを第１の径方向に曲げるとともに、ストリップの第２のサブセットを反対側の第２の径方向に曲げることを含む段落Ｄ１．１の方法。
【０１１３】
Ｄ１．１．１．１  変形の後に、ストリップの第１のサブセットとストリップの第２のサブセットとが管状体の周囲に周方向で交互に配置される段落Ｄ１．１．１の方法。
【０１１４】
Ｄ２．形成の後に、バネ要素は、管状体の周囲に周方向で互いに離間される段落Ｄ−Ｄ１．１．１．１のいずれかの方法。
【０１１５】
Ｄ３．形成の後に、管状体を熱処理することを更に含む段落Ｄ−Ｄ２のいずれかの方法。
【０１１６】
Ｄ４．方法が段落Ａ−Ａ１７．１のいずれかのブシュをもたらす、段落Ｄ−Ｄ３のいずれかの方法。
【０１１７】
本明細書中で使用される「繊維強化複合材料」は、少なくともエポキシまたは他のポリマーまたは結合材料を、カーボン繊維、ボロン繊維、パラアラミド（例えば、Ｋｅｖｌａｒ（登録商標））繊維、および／または、他の繊維など（しかし、これらに限定されない）の繊維と共に含むように理解されるべきである。繊維強化複合材料は、これに加えてまたはこれに代えて、繊維強化ポリマーまたはプラスチックと見なされまたは称されてもよい。
【０１１８】
本明細書中で使用される用語「選択的な」および「選択的に」は、装置の１つ以上の構成要素または特徴の作用、動き、形態、または、他の活動を変えるときに、特定の作用、動き、形態、または、他の活動が装置の一態様または１つ以上の構成要素のユーザ操作の直接的または間接的な結果であることを意味する。
【０１１９】
本明細書中で使用される用語「適合される」および「構成される」は、要素、構成要素、または、他の主題が所定の機能を果たすように設計されおよび／または意図されることを意味する。したがって、用語「適合される」および「構成される」の使用は、所定の要素、構成要素、または、他の主題が単に所定の機能を果たす「ことができる」にすぎないが、要素、構成要素、および／または、他の主題が機能を果たす目的で具体的に選択され、形成され、実施され、利用され、プログラミングされ、および／または、設計されることを意味するように解釈されるべきではない。また、これに加えてまたはこれに代えて、特定の機能を果たすように適合されるとして挙げられる要素、構成要素、および／または、他の挙げられた主題がその機能を果たすように構成されると見なされてもよいことおよびその逆も本開示の範囲内である。同様に、これに加えてまたはこれに代えて、特定の機能を果たすように構成されるとして挙げられる主題は、その機能を果たすように作用すると見なされてもよい。
【０１２０】
装置の開示された様々な要素、および、本明細書中に開示される方法のステップは、本開示に係る装置および方法の全てに必要とされるとは限らず、また、本開示は、本明細書中に開示される様々な要素およびステップの全ての新規な自明でない組み合わせおよび部分的組み合わせを含む。また、本明細書中に開示される様々な要素およびステップのうちの１つ以上は、開示された装置または方法の全体とは別個の切り離した独立の発明主題を規定してもよい。したがって、そのような発明主題は、本明細書中に明示的に開示される特定の装置および方法と関連付けられる必要がなく、また、そのような発明主題は、本明細書中に明示的に開示されない装置および／または方法において実用性を見出してもよい。
【符号の説明】
【０１２１】
１０  構成要素
１２  物体
１４  締結具
１６  ブシュ
１８  装着構造体
２０  壁
２２  装置
２４  航空機
２６  液圧システム
２８  フラップ
３０  翼
３２  燃料タンク
３４  液圧ライン
３６  機体
４０  バルクヘッドアイソレータ
４２  スタッド
４４  ワッシャ
４６  ナット
４８  シャフト
５０  ブシュ
５２  ブシュ
５３  ブシュ
５４  管状体
５６  貫通孔
５８  バネ要素
６０  端部領域
６２  長手方向スリット
６４  ストリップ
６６  バネ要素
６８  バネ要素
７０  長手方向継ぎ目
７２  破線
８０  装着穴
１０４  要素の位置決め
１０６  結具の位置決め
２１０  ブランク
２１２  ブランク
２１４  ブランク
２１６  縁部
【図１】
2014105867.tif 000003
【図２】
2014105867.tif 000004
【図３】
2014105867.tif 000005
【図４】
2014105867.tif 000006
【図５】
2014105867.tif 000007
【図６】
2014105867.tif 000008
【図７】
2014105867.tif 000009
【図８】
2014105867.tif 000010
【図９】
2014105867.tif 000011
【図１０】
2014105867.tif 000012
【図１１】
2014105867.tif 000013
【図１２】
2014105867.tif 000014
【図１３】
2014105867.tif 000015
【図１４】
2014105867.tif 000016
【外国語明細書】
2014105867000001.pdf
2014105867000002.pdf
2014105867000003.pdf
2014105867000004.pdf